【手続補正書】
【提出日】平成18年12月15日(2006.12.15)
【手続補正１】
【補正対象書類名】特許請求の範囲
【補正対象項目名】請求項１
【補正方法】変更
【補正の内容】
【請求項１】
積み重ねたカード状商品（１００）を支持するテーブル（１０２）と、前記テーブル（１０２）の上方に配置された前記カード状商品（１００）の吸引装置（１１６）と、前記吸引装置（１１６）に吸着された前記カード状商品（１００）の搬送装置（１３０）と、前記テーブル（１０２）と吸引装置（１１６）との距離を変更する移動装置（１１４）と、前記搬送装置（１３０）の下流のカード搬送経路（１５２）に位置する重ねだし検知装置（１５０）と、前記テーブル（１０２）上のカード状商品（１００）に振動を与える加振装置（１７０）と、前記重ねだし検知装置（１５０）が重ねだしを検知した場合、前記搬送装置（１３０）を逆送動作させて払出途上のカード状商品（１００）をテーブル（１０２）上に戻した後、前記吸引装置（１１６）のカード状商品（１００）に対する吸引作用を停止させ、次いで前記加振装置（１７０）を作動させる分離装置（１８８）とを備えるカード状商品の自動払出装置。
【手続補正２】
【補正対象書類名】明細書
【補正対象項目名】０００５
【補正方法】変更
【補正の内容】
【０００５】
前記従来技術において、稀にカード状商品の重ねだしが発生する。
本発明者は、この重ねだしの原因が、高湿度雰囲気で結露した水滴が、カード状商品間で蒸発した場合、不純物等が接着剤的機能を発揮することにより、下側のカード状商品が上側のカード状商品に貼り付いているため、生じることを突きとめた。
換言すれば、あたかもカード状商品どうしが接着剤により貼り付いていても、その接着力は極めて小さい点に着目し、本発明に至った。
【手続補正３】
【補正対象書類名】明細書
【補正対象項目名】０００７
【補正方法】変更
【補正の内容】
【０００７】
この目的を達成するため、請求項１の発明は以下のように構成される。
積み重ねたカード状商品を支持するテーブルと、前記テーブルの上方に配置された前記カード状商品の吸引装置と、前記吸引装置に吸着された前記カード状商品の搬送装置と、前記テーブルと吸引装置との距離を変更する移動装置と、前記搬送装置の下流のカード搬送経路に位置する重ねだし検知装置と、前記テーブル上のカード状商品に振動を与える加振装置と、前記重ねだし検知装置が重ねだしを検知した場合、前記搬送装置を逆送動作させて払出途上のカード状商品をテーブル上に戻した後、前記吸引装置のカード状商品に対する吸引作用を停止させ、次いで前記加振装置を作動させる分離装置とを備えるカード状商品の自動払出装置である。
【手続補正４】
【補正対象書類名】明細書
【補正対象項目名】００１２
【補正方法】変更
【補正の内容】
【００１２】
積み重ねたカード状商品を支持するテーブルと、前記テーブルの上方に配置された前記カード状商品の吸引装置と、前記吸引装置に吸着された前記カード状商品の搬送装置と、前記テーブルと吸引装置との距離を変更する移動装置と、前記搬送装置の下流のカード搬送経路に位置する重ねだし検知装置と、前記テーブル上の最上位のカード状商品に振動を与える加振装置と、前記重ねだし検知装置が重ねだしを検知した場合、前記搬送装置を逆送して払出途上のカード状商品をテーブル上に戻した後、前記吸引装置のカード状商品に対する吸引作用を停止させ、次いで前記加振装置を作動させる分離装置とを備えるカード状商品の自動払出装置である。
【手続補正５】
【補正対象書類名】明細書
【補正対象項目名】００１４
【補正方法】変更
【補正の内容】
【００１４】
図１において、カード状商品１００はテーブル１０２に積み重ねられる。
本実施例のカード状商品１００は、内部にカード１０４が二枚封入された袋状である。
したがって、カード１０４が位置しない先端１０６と後端１０８は、カード状商品１００の中間に比べて極めて薄い。
まず、テーブル１０２を説明する。
テーブル１０２は、四方をカードケース１１０によって囲まれた垂立角柱形の保留部１１２において移動装置１１４によって昇降される。
この移動装置１１４は、テーブル１０２を上下動させる機能を有していればどの様な装置でもよい。
【手続補正６】
【補正対象書類名】明細書
【補正対象項目名】００１９
【補正方法】変更
【補正の内容】
【００１９】
押し付けローラ１４４は、駆動ローラ１４０の真下に位置し、スプリング１４２により駆動ローラ１４０に近づくよう附勢されている。
押し付けローラ１４４は、カード状商品１００が存在しない場合、駆動ローラ１４０に所定の圧力で接触していても、所定間隔で離れていても良い。
送り出しローラ１３２と駆動ローラ１４０は、それらにベルトを巻き付けることにより一体化できる。
また、払出装置１３４は、必要に応じて配置しないことができる。
【手続補正７】
【補正対象書類名】明細書
【補正対象項目名】００２０
【補正方法】変更
【補正の内容】
【００２０】
次に重ねだし検知装置１５０を説明する。
重ねだし検知装置１５０は、搬送装置１３０から二枚以上重なったカード状商品１００が送り出されたことを検知する機能を有する。
重ねだし検知装置１５０は、ガイドローラ１５１、搬送装置１３０から払出口（図示せず）へのカード状商品１００の搬送経路１５２に配置されている被動体１５４とセンサ１５６を含んでいる。
ガイドローラ１５１は、固定シャフトに回転自在に取り付けられている。
被動体１５４は、固定軸１５８に回動自在のＬレバー１６０の一端に回転自在に取り付けられたローラ１６２であり、ガイドローラ１５１の上方に配置されている。
したがって、ガイドローラ１５１とローラ１６２との間に搬送経路１５２が位置する。
【手続補正８】
【補正対象書類名】明細書
【補正対象項目名】００２１
【補正方法】変更
【補正の内容】
【００２１】
Ｌレバー１６０の他端には作用片１６４が形成されている。
Ｌレバー１６０には、スプリング１６６が係止され、ローラ１６２をガイドローラ１５１に接触させてある。
Ｌレバー１６０他端の作用片１６４は、固定されているセンサ１５６に相対可能である。
すなわち、カード状商品１００が重なって搬送された場合、それらカード状商品１００の厚みによってローラ１６２が移動されるように設定してある。
したがって、ローラ１６２が移動した場合、作用片１６４は、センサ１５６の検知範囲内に移動することを利用して重ねだしを検知している。
固定軸１５８を支点に回動するＬレバー１６０を使用することにより、拡大機構を容易に構成できる利点がある。
【手続補正９】
【補正対象書類名】明細書
【補正対象項目名】００２２
【補正方法】変更
【補正の内容】
【００２２】
換言すれば、カード状商品１００の厚みは薄いので、ローラ１６２の移動量は小さい。
その小さな移動を検知するには精度の高いセンサを使用せねばならず、高価になってしまう。
しかし、拡大機構により小さな移動を拡大することにより、安価なセンサで検知可能になるため、安価に重ねだし検知装置を構成することができる利点がある。
しかし、重ねだし検知装置１５０は、カード状商品１００の重ねだしを検知できれば、他の形式を採用できる。
【手続補正１０】
【補正対象書類名】明細書
【補正対象項目名】００２４
【補正方法】変更
【補正の内容】
【００２４】
プランジャ１７８は、スプリング１８０により、常時突出する方向に付勢されている。
これにより、たたきレバー１７４は、通常、カード状商品１００の移動に邪魔にならないよう待機位置に保持される。
ソレノイド１７６が励磁された場合、たたきレバー１７４を図１において反時計方向に回動させ、テーブル１０２上の最上位のカード状商品１００を打撃することができる。
この打撃によって、振動を与え最上位のカード状商品１００とその下のカード状商品１００との貼り付きを解消する。
したがって、加振装置１７０は、カード状商品１００どうしの貼り付きを解消できる機能を有する他の装置に変更することができる。
例えば、カードケース１１０を振動させてカード状商品１００に振動を付与できる。
【手続補正１１】
【補正対象書類名】明細書
【補正対象項目名】００２９
【補正方法】変更
【補正の内容】
【００２９】
次に、ステップＳ９において、モータ１２２を作動させてファン１２４を回転させ、フレーム１１８の下端開口１２６から空気を吸い込み、上方へ流れる吸引気流を生成する。
この吸引気流により、最上位のカード状商品１００は吸引装置１１６に吸着され、下端開口１２６に接する。
次にステップＳ１０において、移動装置１１４を所定時間作動させ、テーブル１０２を下げる。
これにより、吸引装置１１６に吸着されているカード状商品１００と、その下方に位置し、かつテーブル１０２上に支えられているカード状商品１００とは所定距離離される（図４の状態）。
これにより、吸引装置１１６に吸着されているカード状商品１００とテーブル１０２に載置されているカード状商品１００とは完全に分離され、重ねだしが防止される。
なお、カード状商品１００が重い場合、ステップＳ９からステップＳ１０に移行するまで所定時間経過するようタイマーステップを挿入することが好ましい。
【手続補正１２】
【補正対象書類名】明細書
【補正対象項目名】００３０
【補正方法】変更
【補正の内容】
【００３０】
次にステップＳ１１においてモータ１３８が作動され、搬送装置１３０がカード状商品１００の送り出し運動を行う。
換言すれば、送り出しローラ１３２および駆動ローラ１４０が反時計方向に回転される。
これにより、下端開口１２６に吸着され、送り出しローラ１３２に接触しているカード状商品１００は、図において右方へ移動される。
カード状商品１００が搬送経路１５２を移動する途上において、通過センサ１９０がカード状商品１００によって押し上げられ、ＯＮになったことをステップＳ１２において検知した場合、ステップＳ１３に進む。
ステップＳ１３において、吸引装置１１６および搬送装置１３０を停止した後、ステップＳ１４に進む。